(57)【要約】【課題】簡素かつ低コストで、絞り羽根の脱落を効果的に防止可能なカメラ用絞り機構を提供する。【解決手段】光軸を中心にして形成された開口部、及び第一方向に伸びる複数の主軸を有する地板と、前記光軸を中心に前記地板に対して相対的に回転可能であり、第二方向に伸びる複数の従動軸を有する駆動リングと、それぞれが主軸孔及び従動軸孔を有しており、前記主軸孔には前記主軸が挿入され、前記従動軸孔には前記従動軸が挿入された複数枚の絞り羽根と、を備え、前記主軸の端部及び前記従動軸の端部の少なくとも一方には、前記主軸孔または前記従動軸孔よりも少なくとも一部の幅が広いフック部が形成される、カメラ用絞り機構を採用する。【選択図】図１
2017078789.tif 000002
【特許請求の範囲】
【請求項１】
光軸を中心にして形成された開口部、及び第一方向に伸びる複数の主軸を有する地板と、
前記光軸を中心に前記地板に対して相対的に回転可能であり、第二方向に伸びる複数の従動軸を有する駆動リングと、
それぞれが主軸孔及び従動軸孔を有しており、前記主軸孔には前記主軸が挿入され、前記従動軸孔には前記従動軸が挿入された複数枚の絞り羽根と、を備え、
前記主軸の端部及び前記従動軸の端部の少なくとも一方には、前記主軸孔または前記従動軸孔よりも少なくとも一部の幅が広いフック部が形成される、
カメラ用絞り機構。
【請求項２】
前記第一方向と前記第二方向とは互いに略逆向きの方向である、
請求項１に記載のカメラ用絞り機構。
【請求項３】
請求項１または請求項２に記載のカメラ用絞り機構を備えるカメラ。
【発明の詳細な説明】
【技術分野】
【０００１】
本発明の一態様は、駆動リングによって複数枚の羽根を回転させることで絞り口径を調整するカメラ用絞り機構に関する。
【背景技術】
【０００２】
従来から、光軸を中心にして所定の回転角で回転する駆動リングが、３枚以上の羽根を同時に同じ方向に回転させ、これによって光軸を中心とする円形に近い絞り口径を得られるように構成された絞り機構がある。このような絞り機構では、地板と押え板とにより形成された羽根室内に絞り羽根及び駆動リングが配置され、羽根室外に配置された駆動モータからギアを介して駆動リングが駆動される。この駆動モータが正転及び反転することで駆動リングを回動させて絞り羽根を動作させ、絞り羽根により形成される絞り口径を変化させるよう動作する。ところで、特許文献１には、このようなカメラ用絞り機構において、取付作業を簡易化する構成について開示されている。
【先行技術文献】
【特許文献】
【０００３】
【特許文献１】特開２００３−５７７１５号公報
【発明の概要】
【発明が解決しようとする課題】
【０００４】
しかしながら、上記従来のカメラ用絞り機構では構成部品が多いため、構成が複雑になり、かつ高価になる場合があり、構成の簡素化、及び低コスト化に対する課題があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
光軸を中心にして形成された開口部（６）、及び第一方向に伸びる複数の主軸（１１）を有する地板（１）と、
前記光軸を中心に前記地板に対して相対的に回転可能であり、第二方向に伸びる複数の従動軸（４１）を有する駆動リングと、
それぞれが主軸孔及び従動軸孔を有しており、前記主軸孔には前記主軸が挿入され、前記従動軸孔には前記従動軸が挿入された複数枚の絞り羽根（５）と、を備え、
前記主軸の端部及び前記従動軸の端部の少なくとも一方には前記主軸孔または前記従動軸孔よりも少なくとも一部の幅が広いフック部（４２）が形成される、
カメラ用絞り機構である。
【０００７】
上記構成のカメラ用絞り機構によれば、絞り羽根の脱落を、従来の羽根押さえではなく主軸、従動軸、及びフック部により防止する構成としているため、絞り羽根の脱落防止構成を簡素な構成とすることができる。これにより、羽根押えの構成が不要となり、従来よりも低コストのカメラ用絞り機構を提供することが可能となる。
【０００８】
上記カメラ用絞り機構において、好ましくは、
前記第一方向と前記第二方向とは互いに略逆向きの方向である。
【０００９】
上記構成のカメラ用絞り機構によれば、より効果的に絞り羽根の脱落を防止する構成とすることができる。
【００１０】
また、本発明は、上記いずれかのカメラ用絞り機構を備えるカメラを含む。
【００１１】
上記構成のカメラによれば、比較的簡素かつ低コストの構成ながら、絞り羽根の脱落を適切に防止可能な絞り機構を備えるカメラを提供することができる。
【図面の簡単な説明】
【００１２】
【図１】カメラ用絞り機構の裏面の斜視図。
【図２】カメラ用絞り機構の表面の斜視図。
【図３】カメラ用絞り機構の裏面の平面図。
【図４】カメラ用絞り機構の側面図。
【図５】カメラ用絞り機構の表面の平面図。
【図６】カメラ用絞り機構の断面図。
【発明を実施するための形態】
【００１３】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００１４】
＜１．実施形態１＞
本実施形態のカメラ用絞り機構は、複数枚の絞り羽根を、主軸、従動軸、及びフック部により脱落しないよう支持している点に特徴のひとつがある。以下、本実施形態のカメラ用絞り機構について、図を参照しながら具体的に説明する。
【００１５】
図１は、本実施形態のカメラ用絞り機構を裏面から見た斜視図である。図２は、本実施形態のカメラ用絞り機構を表面から見た斜視図である。なお、表面及び裏面というのはあくまで便宜上の呼び方であって、一の面を表面、その反面を裏面と呼んでいるに過ぎない。図１及び図２はいずれも開口部が最大限に開いた最大口径時の図である。
【００１６】
図３は、本実施形態のカメラ用絞り機構を裏面から見た平面図である。図４は、本実施形態のカメラ用絞り機構を側面から見た図である。図４においては、その右側が表面側、その左側が裏面側となっている。図５は、本実施形態のカメラ用絞り機構を表面から見た平面図である。図６は、本実施形態のカメラ用絞り機構を、図５におけるａ−ｂの位置からみた断面図である。図６では、図面上側が表面側、図面下側が裏面側となっている。また、図６において、Ｃは光軸の中心を示している。
【００１７】
図に示されるように、本実施形態のカメラ用絞り機構は、地板１、駆動モータ２、減速ギア３、駆動リング４、及び絞り羽根５を含んで構成される。駆動モータ２は、ピニオンギア２１及び電極２２を備えて構成される。駆動リング４は、従動軸４１及びフック部４２を備えて構成される。絞り羽根５には、カム溝５１が形成されている。
【００１８】
＜地板１＞
地板１は、その中心に開口部を備えて円形状に形成され、カメラ用絞り機構の各構成を保持するよう構成される。地板１には、裏面側から表面側に略垂直に伸びる主軸１１が５つ形成されている（図２、図５、及び図６参照）。これらの５つの主軸１１は、それぞれが絞り羽根５に形成された主軸孔に挿入されることで、絞り羽根５の固定軸として機能する。なお、本実施形態では地板１のみでカメラ用絞り機構を両面側から保持するような構成となっているが、地板１に加えて補助地板を備え、地板１と補助地板とにより羽根室を形成しながらカメラ用絞り機構の各構成を保持するような構成としてもよい。
【００１９】
＜駆動モータ２＞
駆動モータ２は、ピニオンギア２１及び電極２２を備えて構成され、電極２２を介して供給された電力によりピニオンギア２１を正転または反転の所定方向に回動させるよう構成される。ピニオンギア２１は減速ギア３と噛み合っており、駆動モータ２により与えられた動力がピニオンギア２１を介して減速ギア３に伝達される。駆動モータ２は、その一部が地板１により形成された羽根室の外側に配置される。
【００２０】
＜減速ギア３＞
減速ギア３は、地板１により形成された羽根室内に配置され、ピニオンギア２１の歯車と噛み合うよう配置される。減速ギア３は、駆動リング４の外周において、少なくともピニオンギア２１と噛み合う部分に形成されている。駆動モータ２が回動すると、ピニオンギア２１を介して減速ギア３が回転し、減速ギア３が回動することで絞り羽根５が回動する。
【００２１】
＜駆動リング４＞
駆動リング４は、地板１により形成された羽根室内に、その外周の少なくとも一部にピニオンギア２１と噛み合う減速ギア３が形成されて構成される。駆動リング４は、表面側から裏面側に略垂直に伸びる従動軸４１を有している。従動軸４１は、絞り羽根５に形成されたカム溝５１に移動可能に挿入され、その端部にはフック部４２が一体的に形成されている。フック部４２は、組み立てられた際にはその延伸方向がカム溝５１の延伸方向と異なるように形成されている。組み立ての際には、絞り羽根５のカム溝５１に従動軸４１を挿入した後、絞り羽根５を回転させることで、フック部４２により絞り羽根５１が支持されるような位置関係になるよう作業される。駆動リング４は、駆動モータ２が動作することで、ピニオンギア２１及び減速ギア３を介して回動する。
【００２２】
＜絞り羽根５＞
絞り羽根５は、地板１により形成された羽根室内に５枚配置されており、主軸１１が挿入されることで地板１に対して固定される主軸孔と、従動軸４１が挿入されることで地板１に対して相対的に移動（回動）可能に固定されるカム溝（本発明における従動軸孔）５１とが形成されて構成される。絞り羽根５は、光軸側の側面の少なくとも一部が円弧状に形成されており、５枚の絞り羽根の円弧部分により開口部６が画定される。
【００２３】
本実施形態のカメラ用絞り機構では、駆動モータ２への電力供給により駆動モータ２が動作開始すると、これによりピニオンギア２１、及び減速ギア３を介して駆動リング４が回転する。そして駆動リング４が回転すると、従動軸４１とカム溝５１との位置関係により絞り羽根５が回転方向に移動し、絞り羽根５により画定される開口部６の口径が変化する。
【００２４】
図６に示されるように、本実施形態のカメラ用絞り機構では、絞り羽根５に対して、裏面側から表面側に置けて伸びる主軸１１が主軸孔に、表面側から裏面側に向けて垂直に伸びる従動軸４１がカム溝５１（従動軸孔）に、それぞれ挿入されている。そして、従動軸４１の端部にはフック部４２が取り付けられており、絞り羽根５が脱落しないよう保持されている。本実施形態のカメラ用絞り機構は、このような構成とすることで、従来のような羽根押えの構成を備えることなく、主軸１１、従動軸４１、及びフック部４２により絞り羽根５を脱落しないよう支持可能な構成となっている。また、羽根押えが不要である本実施形態のカメラ用絞り機構は、羽根押えを必要とする従来のカメラ用絞り機構よりも、簡素かつ低コストの構成とすることが可能となる。
【００２５】
＜２．変形例＞
次に、上記実施形態についての変形例について説明する。
【００２６】
＜変形例１＞
上記実施形態では、従動軸４１の先端（端部）にフック部４２が形成された構成を例に挙げているが、主軸１１の先端（端部）にフック部が形成された構成としてもよい。すなわち、上記実施形態で示されたように、主軸１１よりも従動軸４１が絞り羽根５の重心近くに位置している場合には、従動軸４１の先端にフック部４２を形成する構成の方が好ましいが、従動軸４１よりも主軸１１が絞り羽根５の重心近くに位置している場合には、主軸１１の先端にフック部を形成する構成の方が好ましい。このような構成とすることで、効果的に絞り羽根５の脱落を防止可能な構成とすることができる。なお、主軸１１及び従動軸４１の位置バランスによっては、絞り羽根５の重心から遠い主軸１１または従動軸４１の先端にフック部を形成する構成としてもよい。また、フック部は、主軸１１及び従動軸４１の双方の端部に配置される構成とすることもできる。
【００２７】
＜変形例２＞
上記実施形態では、裏面側から表面側に向かって主軸１１が伸び、表面側から裏面側に向かって従動軸４１が伸びる構成を例に挙げているが、これは互いに逆方向に伸びるような構成であってもよい。つまり、主軸１１が表面側から裏面側に伸び、従動軸４１がその逆方向に伸びるような構成としてもよい。このような構成であっても、主軸１１と従動軸４１とが互いに逆方向に伸びる構成とすることで、絞り羽根５の脱落を効果的に防止可能な構成となる。
【００２８】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００２９】
上記実施形態のカメラ用絞り機構では、駆動モータを動力源として利用しているが、動力源はモータとは異なる別の構成であってもよい。
【００３０】
また、上記実施形態のカメラ用絞り機構は、カメラ用として特に有用な構成ではあるが、カメラ以外の用途に用いられる同様の構成の機構にも応用可能である。
【００３１】
また、上記実施形態では、５枚の絞り羽根を備える構成を例に挙げて説明したが、絞り羽根の枚数は任意に決定可能である。
【００３２】
また、上記実施形態におけるフック部４２は、必ずしも従動軸４１と（または主軸１１と）一体的に形成される必要はなく、従動軸４１から取り外し可能に形成されてもよい。また、本実施例のカメラ用羽根絞り機構が用いられるカメラとしては、デジタルカメラ、スチルカメラ、撮影機能を有する携帯電話機（携帯端末）および監視カメラなどが考えられる。
【産業上の利用可能性】
【００３３】
本発明のカメラ用絞り機構は、絞り口径を調整可能なカメラなどに好適に適用される。
【符号の説明】
【００３４】
１…地板
１１…主軸
２…駆動モータ
２１…ピニオンギア
２２…電極
３…減速ギア
４…駆動リング
４１…従動軸
４２…フック部
５…羽根
５１…カム溝
６…開口部
【図１】
2017078789.tif 000003
【図２】
2017078789.tif 000004
【図３】
2017078789.tif 000005
【図４】
2017078789.tif 000006
【図５】
2017078789.tif 000007
【図６】
2017078789.tif 000008